(57)【要約】【課題】ネイリストの着用感を改善し、ファッション性、デザイン性に優れたネイリスト用アームカバーを提供する。【解決手段】ネイリスト用アームカバーは、カバー本体２が着用者の手首から下腕の中間部のみを覆う長さに形成される。カバー本体２の袖口側に、伸縮性合成繊維布を円筒状に縫着した袖口部３が縫着されるとともに、カバー本体２の上側に、伸縮性合成繊維布を円筒状に縫着した上口部４が縫着される。上口部４の内径は袖口部３の内径より大きく形成される。【選択図】図１
0003204538.tif 000002
【実用新案登録請求の範囲】
【請求項１】
筒状で布帛製のカバー本体を有し、ネイリストが手首から下腕の中間部にかけて着用するネイリスト用アームカバーであって、
該カバー本体は、着用者の手首から下腕の中間部のみを覆う長さに形成され、該カバー本体の袖口側に、伸縮性合成繊維布を円筒状に縫着した袖口部が縫着されるとともに、該カバー本体の上側に、伸縮性合成繊維布を円筒状に縫着した上口部が縫着され、該上口部の内径が該袖口部の内径より大きく形成されていることを特徴とするネイリスト用アームカバー。
【請求項２】
前記袖口部の伸縮性合成繊維布と前記上口部の伸縮性合成繊維布は、同じ合成繊維の原糸を用いて、且つ同様のバイアス編みまたはフライス編みを行って、円筒状に製編されたことを特徴とする請求項１記載のネイリスト用アームカバー。
【請求項３】
前記合成繊維の原糸には、断面が略四葉クローバー型の合成繊維の原糸が用いられ、該原糸により伸縮性合成繊維布がバイアス編みまたはフライス編みされたことを特徴とする請求項２記載のネイリスト用アームカバー。
【請求項４】
上記袖口部及び上口部は、筒状に製編された前記伸縮性合成繊維布を二重に折り曲げて形成され、二重に折り曲げた二重周縁部が前記カバー本体の下端及び上端に縫着されたことを特徴とする請求項２記載のネイリスト用アームカバー。
【請求項５】
前記カバー本体は、布帛の裏面に透湿防水層がコーティングされた透湿防水布により形成されたことを特徴とする請求項１記載のネイリスト用アームカバー。
【請求項６】
前記カバー本体は、トリコット布の表面に防水層兼耐薬品性層をラミネートしたラミネート布により形成されたことを特徴とする請求項１記載のネイリスト用アームカバー。
【考案の詳細な説明】
【技術分野】
【０００１】
本考案は、ネイリストがネイルアート作業を行う際に、腕に着用するネイリスト用アームカバーに関する。
【背景技術】
【０００２】
近年、ネイルにネイルアートを施すことが流行している。ネイルアート作業は、通常、ネイリストが、女性のネイルに対し、マニキュア液を塗り、ネイルアートペンなどで、ネイルアートを描き、その上に、トップコートとなるネイルエナメル液などのマニキュア液を、塗るなどして行われる。また、古いネイルアートなどを落す場合は、除光液をネイルに付けて落すなどの作業が行われる。
【０００３】
このため、ネイルアートを施すネイリストは、各種のマニキュア液やエナメル液などを扱うことになるため、マニキュア液やエナメル液が腕や洋服の袖口などに付着し、袖口などを汚しやすい。このため、ネイリストがネイルアート作業を行う際、ネイリストは、一般的なアームカバーを腕に着けてネイルアート作業を行うことが好ましい。
【０００４】
従来のアームカバーは、一般に、下記特許文献１に記載されるように、カバー本体が筒状に縫製されるとともに、手首から肘までの下腕全体を覆う長さに形成され、カバー本体の上端部と下端部の袖口には、ゴム紐を縫着した部分が設けられる。
【先行技術文献】
【特許文献】
【０００５】
【特許文献１】実開平６−１６４１５号公報
【考案の概要】
【考案が解決しようとする課題】
【０００６】
このため、このような従来のアームカバーを着用するネイリストは、その下腕部全体をアームカバーで覆うように着用し、ネイルアートペンなどを持ってネイルアートを行うこととなる。
【０００７】
しかしながら、従来のアームカバーは、多くの場合、事務員が事務服の袖部の上から着用して事務用に使用するものであり、上記のように、長袖の服を着けた下腕部全体を覆うように、大きく形成されている。
【０００８】
このため、ネイリストが、従来のアームカバーを着用し、ネイルアートペンなどを持って、細かいネイルアートを描くような場合、大き過ぎるアームカバーが邪魔をして、ネイルアートを描きにくい場合があった。特に、長袖の制服などを着用したネイリストが、長袖の上から下腕部全体を覆うようにアームカバーを着けた場合、長袖の部分がごわごわして、着用感が悪く、違和感を生じる場合があった。
【０００９】
さらに、女性のネイリストにとって、従来の事務職用のアームカバーは、あまりにファッションデザイン性が乏しく、ファッション性やデザイン性を好む女性ネイリストには、アームカバーの着用を拒否する場合が多くあった。このため、ネイリストは、通常、アームカバーを着けずにネイルアート作業を行うことが一般的となり、マニキュア液やエナメル液などが袖口に付着して袖口を汚しやすいという課題があった。
【００１０】
本考案は、上述の課題を解決するものであり、ネイリストの着用感を改善し、ファッション性、デザイン性に優れたネイリスト用アームカバーを提供することを目的とする。
【課題を解決するための手段】
【００１１】
本考案に係るネイリスト用アームカバーは、筒状で布帛製のカバー本体を有し、ネイリストが手首から下腕の中間部にかけて着用するネイリスト用アームカバーであって、
該カバー本体は、着用者の手首から下腕の中間部のみを覆う長さに形成され、該カバー本体の袖口側に、伸縮性合成繊維布を円筒状に縫着した袖口部が縫着されるとともに、該カバー本体の上側に、伸縮性合成繊維布を円筒状に縫着した上口部が縫着され、該上口部の内径が該袖口部の内径より大きく形成されていることを特徴とする。
【００１２】
この考案のネイリスト用アームカバーによれば、カバー本体が、着用者の手首から下腕の中間部のみ（手首から肘の下側まで）を覆う長さに形成され、カバー本体の袖口側に、伸縮性合成繊維布を円筒状に縫着した袖口部が縫着されるとともに、カバー本体の上側（反袖口側）に、伸縮性合成繊維布を円筒状に縫着した上口部が縫着され、上口部の内径が袖口部の内径より大きく形成されているので、女性ネイリストがアームカバーを着用した場合でも、アームカバーが腕に対し大きすぎることはなく、着用者の手首から下腕の中間部を良好に覆うことができる。
【００１３】
また、上口部が袖口部と同様に、伸縮性合成繊維布を円筒状に縫着して構成されるので、上口部、袖口部ともに適度な伸縮性を有し、使用者は容易に手を通して着用し着脱することができる。
【００１４】
また、ネイリストが、長袖の上からアームカバーを着用した場合でも、下腕部の下側を覆うのみであるので、長袖の部分がごわごわすることもなく、良好な着用感で使用することができる。
【００１５】
また、従来のアームカバーに比して短く、女性の下腕部にフィットして着用することができ、女性ネイリストが着用した場合、良好なファッション性、デザイン性を生じさせることができる。しかも、ネイリストが上記ネイリスト用アームカバーを着用してネイルアート作業を行うことにより、マニキュア液やエナメル液などが衣服の袖口に付着して袖口を汚す不具合を解消することができる。
【００１６】
ここで、上記袖口部の伸縮性合成繊維布と上記上口部の伸縮性合成繊維布は、同じ合成繊維の原糸を用いて、同様のバイアス編みまたはフライス編みを行って、円筒状に製編することが好ましい。
【００１７】
またここで、上記合成繊維布の原糸には、断面が略四葉クローバー型の合成繊維の原糸を用いることが好ましい。
【００１８】
これによれば、袖口部と上口部の伸縮性合成繊維布が、その断面を略四葉クローバー型とする合成繊維の原糸を用いて製織され、通常の繊維布に比して、非常に多い表面積を有して内側に多くの空気を保持することができる。このため、優れた吸汗性と速乾性を有し、使用者が着用中に発汗した場合でも、肌に直接触れる袖口部が濡れてべたつくことはなく、さらっとした感触でアームカバーを快適に使用することができる。
【００１９】
また、上記袖口部及び上口部は、筒状に製編された上記伸縮性合成繊維布を二重に折り曲げ、二重に折り曲げた二重周縁部を上記カバー本体の下端及び上端に縫着することが好ましい。
【００２０】
また、上記カバー本体は、布帛の裏面に透湿防水層がコーティングされた透湿防水布により形成することができる。さらに、カバー本体は、トリコット布の表面に防水層兼耐薬品性層をラミネートしたラミネート布により形成することができる。
【考案の効果】
【００２１】
本考案のネイリスト用アームカバーによれば、その使用時、下腕に装着した際の着用感を良好にし、アームカバーのファッション性、デザイン性を向上させることができる。
【図面の簡単な説明】
【００２２】
【図１】本考案の一実施形態を示すネイリスト用アームカバーの正面図である。
【図２】ネイリスト用アームカバーの背面図である。
【図３】図１のＡ−Ａ断面図である。
【図４】図２のＢ―Ｂ断面図である
【図５】使用状態のネイルリスト用アームカバーの背面図である。
【考案を実施するための形態】
【００２３】
以下、本考案の一実施形態を図面に基づいて説明する。図１、２に示すように、このネイリスト用アームカバー１は、筒状に形成されたカバー本体２の下端に、袖口部３を縫着し、カバー本体２の上端に上口部４を縫着して構成される。上口部４の内径は、袖口部３の内径より大きく形成される。カバー本体２は、使用者の手首から下腕の中間部のみを覆うように、従来のアームカバーより短く形成される。
【００２４】
袖口部３と上口部４は、断面が略四葉クローバー型の合成繊維の原糸を用いて製織された伸縮性合成繊維布を円筒状に縫着して、同様に構成される。袖口部３と上口部４の伸縮性合成繊維布の原糸に使用される合成繊維には、例えばポリエステル８５％とポリウレタン１５％の繊維の原糸が使用され、バイアス編みまたはフライス編みにより伸縮性合成繊維布が製編される。つまり、袖口部３を構成する伸縮性合成繊維布と上口部４を構成する伸縮性合成繊維布は、同じ合成繊維の原糸を用いて、同様のバイアス編みまたはフライス編みを行って、円筒状に製編されている。
【００２５】
また、断面が略四葉クローバー型の合成繊維の原糸の伸縮性合成繊維布を用いて縫着された袖口部３及び上口部４は、繊維間に非常に多くの空気を保持することができるため、優れた吸汗性、速乾性、通気性を有するとともに、肌触りが良好で、バイアス編みまたはフライス編みにより、優れた伸縮性を有している。
【００２６】
図３、図４に示すように、製編された袖口部３用の伸縮性合成繊維布と上口部４用の伸縮性合成繊維布は、先端部を折り目として布を二重に折り曲げるとともに環状に曲げて端部を縫着して形成され、周縁部をカバー本体２の下端または上端に縫着するようになっている。
【００２７】
つまり、袖口部３と上口部４は、伸縮性合成繊維布を筒状として突合せ端部を縫着する一方、当該筒状の布を二重に折り曲げて、二重に折り曲げた二重周縁部をカバー本体２の下端または上端に縫着する。筒状として製編された伸縮性合成繊維布は、二重に折り曲げて袖口部３または上口部４とされるが、カバー本体２の上端の内径がその下端の内径より大きいため、上記のように、上口部４の内径は、袖口部３の内径より大きく形成される。袖口部３と上口部４の伸縮性合成繊維布は、合成繊維糸をフライス編みし或いはバイアス編みにより筒状に製編された布素材であり、幅方向、ラジアル方向ともに良好な伸縮性を有している。
【００２８】
また、上口部４の内径は、袖口部３の内径より大きく形成されるが、図１或いは図３，４に示すように、上口部４の上下方向の幅は、袖口部３の上下方向の幅より短く形成される。これにより、ネイリストがこのアームカバーを腕に装着した場合、図５のように、上口部４が下腕の中間部を覆うところ、上口部４の伸縮性合成繊維布がその部位を強く締め付けないようになっている。
【００２９】
カバー本体２は、通常の合成繊維の布帛を筒状に折り曲げ、端部を長手方向に縫着して構成され、カバー本体２の下端には、上記のように、袖口部３が縫着され、カバー本体２の上端には、上口部４が縫着される。カバー本体２は通常の合成繊維の布帛を筒状に折り曲げただけのものでもよいが、ネイリストが使用する材料、例えばマニキュア液、エナメル液或いは水性液などがカバー本体２に付着した場合を考慮して、防水性の布帛或いは耐薬品性を有する布帛を使用している。
【００３０】
例えば、布帛の裏面に透湿防水層をコーティングした透湿防水布を用いてカバー本体２を形成することができる。透湿防水布として、ナイロン繊維またはポリエステル繊維の布帛の裏面にポリエレタンの微細多孔防水層をコーティングした布地を使用すれば、アームカバーの使用時、防水性を保持しつつ、内側の湿気を外部に放出してカバー内に残留させず、さらっとした感触でアームカバーを快適に使用することができる。
【００３１】
或いは、カバー本体２の布帛として、トリコット布の表面に防水層兼耐薬品性層をラミネートしたラミネート布地を使用することもできる。これによれば、防水性や耐薬品性を保持しつつ、アームカバーの使用時、さらっとした感触でアームカバーを快適に使用することができる。なお、カバー本体２の色は白色としてもよいが、カバー本体２の色を薄いピンク、或いは薄いブルーとすれば、ネイリスト用アームカバーとして、高いファッション性を生じさせることができる。
【００３２】
図１，２に示すように、筒状に縫製されたカバー本体２は、上口部側の幅が、袖口部３側の幅より広く形成され、使用者がその腕を通し易くなっている。カバー本体２の上端の上口部４は、図３に示すように、製編された上口用の伸縮性合成繊維布を、二重に折り曲げて形成した二重周縁部に、筒状のカバー本体２の上周縁部を内側に折り曲げて縫着される。これにより、伸縮性合成繊維布からなる上口部４がカバー本体２の上端に縫着され、使用者の下腕の中間部を上口部４内に通して着用できる状態となる。
【００３３】
カバー本体２の下端に縫着される袖口部３は、図４に示すように、製編された袖口用の伸縮性合成繊維布を、二重に折り曲げ、その状態の周縁部を、カバー本体２の下端の折り曲げ部に内側から縫着する。これにより、伸縮性合成繊維布からなる袖口部３がカバー本体２の下端に縫着され、使用者の腕の手首から先を袖口部３内に通して着用できる状態となる。また上記のように、上口部４の内径は、袖口部３の内径より大きく形成され、上口部４の上下方向の幅は、袖口部３の上下方向の幅より短く形成され、手首より太い下腕の中間部を、適度な締め状態で、良好に覆うことができるようになっている。
【００３４】
上記構成のネイリスト用アームカバー１は、ネイリストがネイルアート作業を行う際、図５に示すように、その手首から下腕の中間部までを覆うように着用する。ネイリスト用アームカバー１を着用する場合、着用者は、その手を、その上口部４からカバー本体２内に挿入し、袖口部３から手を出すように装着するが、上口部４は袖口部３より大径で、伸縮性合成繊維布から構成されるので、容易に下腕をアームカバー内に挿入し、ネイリスト用アームカバー１を下腕に装着することができる。装着されたネイリスト用アームカバー１は、着用者の手首から下腕の中間部にかけて、隙間なく覆うこととなる。
【００３５】
ネイルアート作業は、ネイリストが、ネイルにマニキュア液を塗り、ネイルアートペンなどで、ネイルアートを描き、その上に、トップコートとなるネイルエナメル液などのマニキュア液を、塗るなどして行われる。また、古いネイルアートなどを落す場合は、除光液をネイルに付けて落すなどの作業が行われる。
【００３６】
このため、ネイルアートを施すネイリストは、各種のマニキュア液やエナメル液などを扱うことになるため、マニキュア液やエナメル液が飛散したり誤って下腕付近に付着し、袖口などを汚しやすい。
【００３７】
然るに、ネイリスト用アームカバー１を着用したネイリストは、マニキュア液やエナメル液が下腕付近に、付着したとしても、マニキュア液やエナメル液はカバー本体２や袖口部３の表面に付着するのみであるので、ネイリストの衣服の袖口などを汚すことなく、ネイルアート作業を行うことができる。
【００３８】
また、ネイルアートの作業中、ネイリスト用アームカバー１の内部は、発汗などにより湿度が上昇しやすいが、袖口部３と上口部４が伸縮性合成繊維布で製編され、且つカバー本体２が吸汗性、速乾性に優れた合成繊維布により作られているため、ネイリストの手首には、発汗によるべとつき感は感じられず、さらっとした感触でアームカバーを着用して作業を行なうことができる。
【００３９】
また、ネイリスト用アームカバー１の袖口部３及び上口部４は、非常に伸縮性が良好のため、アームカバーを外す場合には、袖口部３を持ってアームカバーを引き下げるようにすれば、簡単にアームカバーを腕から外すことができる。また、使用後に、ネイリスト用アームカバー１を洗濯して繰り返し使用した場合でも、袖口部３及び上口部４の伸縮性、カバー本体２の吸汗性、速乾性は保持されるので、長期にわたり良好な使用感を保持して使用することができる。
【００４０】
このように、ネイリスト用アームカバー１は、カバー本体２が、着用者の手首から下腕の中間部のみ（手首から肘の下側まで）を覆う長さに形成され、カバー本体２の袖口側に、伸縮性合成繊維布を円筒状に縫着した袖口部３が縫着され、カバー本体２の上側（反袖口側）に、伸縮性合成繊維布を円筒状に縫着した上口部４が縫着され、上口部４の内径が袖口部３の内径より大きく形成されているので、女性ネイリストがアームカバーを着用した場合でも、アームカバーが腕に対し大きすぎることはなく、見栄え良く着用者の手首から下腕の中間部を良好に覆うことができる。
【００４１】
また、上口部４が袖口部３と同様に、伸縮性合成繊維布を円筒状に縫着して構成されるので、上口部４、袖口部３ともに適度な伸縮性を有し、使用者は容易に手を通して着用し着脱することができる。また、ネイリストが、長袖の上からネイリスト用アームカバー１を着用した場合でも、下腕部の下側を覆うのみであるので、長袖の部分がごわごわすることもなく、良好な着用感で使用することができる。
【００４２】
また、ネイリスト用アームカバー１は、従来のアームカバーに比して短く、女性の下腕部にフィットして着用することができ、女性ネイリストが着用した場合、良好なファッション性、デザイン性を生じさせることができる。
【符号の説明】
【００４３】
１      ネイリスト用アームカバー
２      カバー本体
３      袖口部
４      上口部
【図１】
0003204538.tif 000003
【図２】
0003204538.tif 000004
【図３】
0003204538.tif 000005
【図４】
0003204538.tif 000006
【図５】
0003204538.tif 000007